(57)【要約】      （修正有）【課題】ローダーを筐体に取付けるためのねじが省略できてコストダウンが図れるとともに、ローダーを筐体に取付ける作業が行い易いローダーの固定構造を提供する。【解決手段】樹脂製の筐体１にＤＶＤプレーヤーのローダー５を取付固定するようにし、ローダーの下部に前後左右４箇所の取付片５ａが外向きに突設され、筐体の底面にはローダーの奥側の左右２箇所の取付片を挿入することによりこの取付片を固定するための略Ｌ字状の止め片１ａが上向きに設けられ、この止め片には取付片との当接面にテーパー面１ｂが形成され、取付片の先端には止め片に対応する上面に止め片のテーパー面に当接するテーパー面５ｂが形成されており、ローダーの左右２箇所の取付片を筐体の奥側の止め片に挿入するとともに、ローダーの前部の左右２箇所の取付片を筐体の底面にねじで固定してローダーを筐体に取付固定する。【選択図】図１
2007128585.tif 000002
【特許請求の範囲】
【請求項１】
樹脂製の筐体にＤＶＤプレーヤーのローダーを取付固定するようにしたローダーの固定構造において、前記ローダーの下部に前後左右４箇所の取付片が外向きに突設され、前記筐体の底面には前記ローダーの奥側の左右２箇所の取付片を挿入することによりこの取付片を固定するための略Ｌ字状の止め片が上向きに設けられ、この止め片には前記取付片との当接面にテーパー面が形成され、前記取付片の先端には前記止め片に対応する上面に前記止め片のテーパー面に当接するテーパー面が形成されており、前記ローダーの左右２箇所の取付片を前記筐体の奥側の止め片に挿入するとともに、前記ローダーの前部の左右２箇所の取付片を前記筐体の底面にねじ止め固定して前記ローダーを前記筐体に取付固定するように構成したことを特徴とするローダーの固定構造。
【請求項２】
樹脂製の筐体にＤＶＤプレーヤーのローダーを取付固定するようにしたローダーの固定構造において、前記ローダーの下部に前後左右４箇所の取付片が外向きに突設され、前記筐体の底面には奥側の左右２箇所又は前後左右４箇所に止め片が設けられ、前記ローダーの取付片が前記筐体の止め片に挿入されることにより、前記ローダーが前記筐体に取付固定されるように構成したことを特徴とするローダーの固定構造。
【請求項３】
前記筐体の底面には、奥側の左右２箇所の前記止め片が設けられ、前記ローダーの前側２箇所の取付片の下面に下向きにリブが突設されており、前記ローダーの奥側の左右２箇所の取付片が前記筐体の底面の奥側の左右２箇所の止め片に挿入されるとともに、前記ローダーの前側の左右２箇所の取付片の前記リブが前記筐体の前側に形成された係入孔に挿入されることにより、前記ローダーが前記筐体に取付固定されるようにした請求項２に記載のローダーの固定構造。
【請求項４】
前記筐体の底面には、前後左右４箇所の止め片が設けられ、これら前後左右４箇所の止め片に前記ローダーの前後左右４箇所の取付片が挿入され、前記筐体の前面にフロントパネルが取付けられて前記ローダーの前側への移動をこのフロントパネルで阻止することにより、前記ローダーが前記筐体に取付固定される請求項２に記載のローダーの固定構造。
【請求項５】
前記筐体の止め片は、略Ｌ字形に形成されており、この略Ｌ字形の止め片の溝部に前記ローダーの取付片が挿入されることにより、前記ローダーが前記筐体に取付固定される請求項２乃至４のいずれかに記載のローダーの固定構造。
【発明の詳細な説明】
【技術分野】
【０００１】
本発明は、樹脂製の筐体にＤＶＤプレーヤーのローダーを取付固定するようにしたローダーの固定構造に関するものである。
【背景技術】
【０００２】
従来のローダーの固定構造は、図５に示すように、ＤＶＤプレーヤー１０１のローダー１０２に前後左右４箇所の取付片１０３が設けられ、この前後左右４箇所の取付片１０３を筐体１０４にねじ１０５を用いて取付固定するようにしていた。ところが、この従来のローダーの固定構造においては、ねじ１０５を４本使用しているので、部品点数が多くなり、コスト高になるとともにねじ止め作業が厄介であるという問題があった。
【０００３】
第１の従来技術を図６に示す。この従来の光ディスク装置は、図６に示すように、ディスク２０１を載置するトレイを装着したままローディングするベース２１１と、外装フレーム２１２に固定されたレール２１３とを備えた光ディスク装置において、ディスク２０１をターンテーブル上に押さえ付けるクランプ部材２１４と、端部曲げ部２１６の両面に突出方向の異なる数個のピン（図示略）を有するクランプ支持部材２１５を設け、また、レール２１３にはベース２１１と摺動係合するスリット部と、クランプ支持部材２１５に外装フレーム方向に突出するピンと係合する傾斜を持った溝部２１９を形成し、ベース２１１にはクランプ支持部材２１５にディスク装着方向に突出するピンと係合しローディング方向に長く一端のみローディング方向に対し垂直へ伸びた溝部２２０を両側面に設けている。（例えば、特許文献１参照）。
【０００４】
ところが、これにおいては、外装フレーム２１２にレール２１３やクランプ支持部材２１４などのローダーが一体に設けられているために、上下移動させるターンテーブルなどのチャッキング機構の取り付けが難しいという問題があった。
【特許文献１】特開平８−２２１８６４号公報
【発明の開示】
【発明が解決しようとする課題】
【０００５】
本発明は、上記従来の問題に鑑みてなされたものであって、ローダーを筐体に取付けるためのねじを抹消することができてコストダウンを図れ、しかも、ローダーを筐体に取付ける作業が行い易く、また、ローダーを筐体に着脱可能にすることができて、上下移動させるターンテーブルなどのチャッキング機構の取り付けが行い易いローダーの固定構造を提供することを目的としている。
【課題を解決するための手段】
【０００６】
本発明は、上記課題を解決するために提案されたものであって、請求項１に記載の発明は、樹脂製の筐体にＤＶＤプレーヤーのローダーを取付固定するようにしたローダーの固定構造において、前記ローダーの下部に前後左右４箇所の取付片が外向きに突設され、前記筐体の底面には前記ローダーの奥側の左右２箇所の取付片を挿入することによりこの取付片を固定するための略Ｌ字状の止め片が上向きに設けられ、この止め片には前記取付片との当接面にテーパー面が形成され、前記取付片の先端には前記止め片に対応する上面に前記止め片のテーパー面に当接するテーパー面が形成されており、前記ローダーの左右２箇所の取付片を前記筐体の奥側の止め片に挿入するとともに、前記ローダーの前部の左右２箇所の取付片を前記筐体の底面にねじ止め固定して前記ローダーを前記筐体に取付固定するように構成したことを特徴としている。
【０００７】
請求項２に記載の発明は、樹脂製の筐体にＤＶＤプレーヤーのローダーを取付固定するようにしたローダーの固定構造において、前記ローダーの下部に前後左右４箇所の取付片が外向きに突設され、前記筐体の底面には奥側の左右２箇所又は前後左右４箇所に止め片が設けられ、前記ローダーの取付片が前記筐体の止め片に挿入されることにより、前記ローダーが前記筐体に取付固定されるように構成したことを特徴としている。
【０００８】
請求項３に記載の発明は、請求項２に記載の発明において、前記筐体の底面には、奥側の左右２箇所の前記止め片が設けられ、前記ローダーの前側２箇所の取付片の下面に下向きにリブが突設されており、前記ローダーの奥側の左右２箇所の取付片が前記筐体の底面の奥側の左右２箇所の止め片に挿入されるとともに、前記ローダーの前側の左右２箇所の取付片の前記リブが前記筐体の前側に形成された係入孔に挿入されることにより、前記ローダーが前記筐体に取付固定されるようにした。
【０００９】
請求項４に記載の発明は、請求項２に記載の発明において、前記筐体の底面には、前後左右４箇所の止め片が設けられ、これら前後左右４箇所の止め片に前記ローダーの前後左右４箇所の取付片が挿入され、前記筐体の前面にフロントパネルが取付けられて前記ローダーの前側への移動をこのフロントパネルで阻止することにより、前記ローダーが前記筐体に取付固定されるようにしている。
【００１０】
請求項５に記載の発明は、請求項２乃至４のいずれかに記載の発明において、前記筐体の止め片は、略Ｌ字形に形成されており、この略Ｌ字形の止め片の溝部に前記ローダーの取付片が挿入されることにより、前記ローダーが前記筐体に取付固定に取付固定されるようにしている。
【発明の効果】
【００１１】
請求項１に記載の発明によれば、ローダーの奥側の左右の取付片を、筐体の底面の奥側に設けた左右の止め片に挿入することで、ローダーの奥側の取付片をねじ止めせずに取付固定できるから、ねじを２本抹消することができ、部品点数を少なくすることができて、コストダウンを図ることができる。また、ローダーの取付片に設けたテーパー面を筐体の底面の止め片のテーパー面に沿って押し入れることができるから、取付片を止め片にスムーズに挿入することができ、また、ローダーを筐体に対して斜め向きにしてローダーの取付片を筐体の底面の止め片に挿入して取付固定することができる。更に、ねじ止め作業を少なくすることができるので、組み付け作業の能率を高めることができる。
【００１２】
請求項２に記載の発明によれば、ローダーの奥側の左右２箇所又は前後左右４箇所の取付片を筐体の底面に設けた奥側左右２箇所又は前後左右４箇所の止め片取付固定できるから、ねじを２本又は４本抹消することができ、部品点数を少なくすることができてコストダウンを図ることができる。また、ねじ止め作業を少なくすることができて、組み付け作業の能率を高めることができる。
【００１３】
請求項３に記載の発明によれば、ローダーの奥側の取付片を筐体の奥側の止め片に挿入し、ローダーの前側の取付片の下向きリブを筐体の底面の係入孔に挿入するだけで、ローダーを筐体に取付固定できるので、ねじを全て抹消することができ、部品点数を一層少なくすることができてコストダウンを図ることができる。また、ねじ止め作業が必要でないから、作業能率を高めることができる。
【００１４】
請求項４に記載の発明によれば、ローダーの前後左右４箇所の取付片を筐体の前後左右４箇所の止め片に挿入してローダーを筐体に取付固定できるから、ねじを全て抹消することができ、部品点数を少なくすることができてコストダウンを図ることができる。また、ねじ止め作業を必要としないから、作業効率を高めることができる。更に、筐体の前側にフロントパネルが取付けられるから、このフロントパネルでローダーの前側への移動を阻止することができるから、ローダーが外れることを防ぐことができ、ローダーを確実に筐体に固定することができる。
【００１５】
請求項５に記載の発明によれば、Ｌ字形の止め片の溝部にローダーの取付片を挿入することができるから、この取付片を止め片に確実に取付固定することができる。また、止め片の溝部の高さを取付片の厚さより小さくすると、取付片を止め片に強固に固定できる利点がある。
【発明を実施するための最良の形態】
【００１６】
以下、本発明に係るローダーの固定構造の実施の形態について、図を参照しつつ説明する。
【００１７】
図１は第１実施形態のローダーの固定構造を示し、（ａ）はその概略平面図、（ｂ）はその要部の拡大断面図、図２は図１（ｂ）の別の例の要部を示す拡大断面図である。
【００１８】
この第１実施形態のローダーの固定構造は、図１（ａ）に示すように、筐体１の前部にフロントパネル２が取り付け取外し可能に取付けられるようになっており、筐体１の内部底面側には、ＡＶ基板３とメイン基板４とが配置されている。この筐体１にはＤＶＤプレイヤーのローダー５が着脱可能に取り付けられるようになっており、このローダー５の下部には前後左右４箇所の取付片５ａが外向きに設けられている。また、筐体１の底面にはローダー５の奥側の左右２箇所の取付片５ａ、５ａを挿入することによりこの取付片５ａ、５ａを固定するための略Ｌ字状の止め片１ａ、１ａが上向きに設けられている。図１（ｂ）に示すように、この止め片１ａ、１ａには取付片５ａ、５ａとの当接面にテーパー面１ｂが形成され、取付片５ａ、５ａの先端には止め片１ａ、１ａに対応する上面に止め片１ａ、１ａのテーパー面１ｂに当接するテーパー面５ｂが形成されている。
【００１９】
このローダー５を筐体１の底面に取り付けるには、ローダー５を筐体１の奥側に向けて斜め向きにして、その取付片５ａ、５ａを筐体１の底面の奥側の止め片１ａ、１ａに嵌め入れる。このとき、ローダー５の取付片５ａ、５ａのテーパー面５ｂが止め片１ａ、１ａのテーパー面１ｂにガイドされてローダー５の取付片５ａ、５ａは止め片１ａ、１ａにスムーズに入り込む。その次に、ローダー５の前部の取付片５ａ、５ａを筐体１の底面にねじ６で固定する。このことにより、ローダー５が筐体１の底面に取付固定される。
【００２０】
この第１実施形態によれば、ローダー５の奥側の左右の取付片５ａ、５ａを、筐体１の底面の奥側に設けた左右の止め片１ａ、１ａに挿入することで、ローダー５の奥側の取付片５ａ、５ａをねじ止めせずに取付固定できるから、ねじを２本抹消することができ、部品点数を少なくすることができて、コストダウンを図ることができる。また、ローダー５の取付片５ａに設けたテーパー面５ｂを筐体１の底面の止め片１ａのテーパー面１ｂに沿って押し入れることができるから、取付片５ａを止め片１ａにスムーズに挿入することができ、また、ローダー５を筐体１に対して斜め向きにしてローダー５の取付片５ａを筐体１の底面の止め片１ａに挿入して取付固定することができる。更に、ねじ止め作業を少なくすることができるので、組み付け作業の能率を高めることができる。
【００２１】
また、図２に示すように、筐体１の止め片１ａを略Ｌ字形に形成し、ローダー５の取付片５ａを板状に形成すると、止め片１ａと取付片５ａの嵌合を確実にすることができる利点がある。
【００２２】
図３は第２実施形態のローダーの固定構造を示し、（ａ）はその概略平面図、（ｂ）はその要部の拡大断面図、（ｃ）はその別の要部の拡大断面図である。尚、上記した第１実施形態と同一部材、同一箇所には同じ符号を付してその説明を省略する。
【００２３】
この第２実施形態のローダーの固定構造は、図３（ａ）（ｂ）（ｃ）に示すように、筐体１の底面には、奥側の左右２箇所の止め片１ａ、１ａが設けられ、ローダー５の前側２箇所の取付片５ａ、５ａの下面に下向きにリブ５ｃが突設されている。ローダー５の奥側の左右２箇所の取付片５ａ、５ａが筐体１の底面の奥側の左右２箇所の止め片１ａ、１ａに挿入されるとともに、ローダー５の前側の左右２箇所の取付片５ａ、５ａのリブ５ｃが筐体１の前側に形成された係入孔１ｃに挿入されることにより、ローダー５が筐体１に取付固定されるようにしている。
【００２４】
この第２実施形態によれば、ローダー５の奥側の取付片５ａを筐体１の奥側の止め片１ａに挿入し、ローダー５の前側の取付片５ａの下向きリブ５ｃを筐体１の底面の係入孔に挿入するだけで、ローダー５を筐体１に取付固定できるので、ねじを全て抹消することができ、部品点数を一層少なくすることができてコストダウンを図ることができる。また、ねじ止め作業が必要でないから、作業能率を高めることができる。
【００２５】
図４は第３実施形態のローダーの固定構造を示し、（ａ）はその概略平面図、（ｂ）はその要部の拡大断面図である。尚、上記した第１実施形態と同一部材、同一箇所には同一符号を付してその説明を省略する。
【００２６】
この第３実施形態のローダーの固定構造は、図４（ａ）（ｂ）に示すように、筐体１の底面には、前後左右４箇所の止め片１ａが設けられ、これら前後左右４箇所の止め片１ａにローダー５の前後左右４箇所の取付片５ａが挿入され、筐体１の前面にフロントパネル２が取付けられてローダー５の前側への移動をこのフロントパネル２で阻止することにより、ローダー５が筐体１に取付固定されるようにしている。また、筐体１の止め片１ａは、略Ｌ字形に形成されており、この略Ｌ字形の止め片１ａの止め片１ａの溝部１ｄにローダー５の取付片５ａが挿入されることにより、ローダー５が筐体１に取付固定されるようにしている。
【００２７】
この第３実施形態によれば、ローダー５の前後左右４箇所の取付片５ａを筐体１の前後左右４箇所の止め片１ａに挿入してローダー５を筐体１に取付固定できるから、ねじを全て抹消することができ、部品点数を少なくすることができてコストダウンを図ることができる。また、ねじ止め作業を必要としないから、作業効率を高めることができる。更に、筐体１の前側にフロントパネル７が取付けられるから、このフロントパネル７でローダー５の前側への移動を阻止することができるから、ローダー５が外れることを防ぐことができ、ローダー５を確実に筐体１に固定することができる。また、Ｌ字形の止め片１ａの溝部１ｄにローダー５の取付片５ａを挿入することができるから、この取付片５ａを止め片１ａに確実に取付固定することができる。また、止め片１ａの溝部１ｄの高さを取付片５ａの厚さより小さくすると、取付片５ａを止め片１ａに強固に固定できる利点がある。
【図面の簡単な説明】
【００２８】
【図１】第１実施形態のローダーの固定構造を示し、（ａ）はその概略平面図、（ｂ）はその要部の拡大断面図である。
【図２】図１（ｂ）の別の例の要部を示す拡大断面図である。
【図３】第２実施形態のローダーの固定構造を示し、（ａ）はその概略平面図、（ｂ）はその要部の拡大断面図、（ｃ）はその別の要部の拡大断面図である。
【図４】第３実施形態のローダーの固定構造を示し、（ａ）はその概略平面図、（ｂ）はその要部の拡大断面図である。
【図５】従来のローダーの固定構造を示す概略平面図である。
【図６】従来の光ディスク装置を示す斜視図である。
【符号の説明】
【００２９】
１          筐体
１ａ        略Ｌ字状の止め片
１ｂ        テーパー面
１ｃ        係入孔
１ｄ        溝部
２          フロントパネル
３          ＡＶ基板
４          メイン基板
５          ローダー
５ａ        取付片
５ｂ        テーパー面
５ｃ        リブ
６          ねじ
【図１】
2007128585.tif 000003
【図２】
2007128585.tif 000004
【図３】
2007128585.tif 000005
【図４】
2007128585.tif 000006
【図５】
2007128585.tif 000007
【図６】
2007128585.tif 000008